(57)【要約】【課題】  歩行、足踏みをした場合に足裏の刺激箇所が変化する履物底や中敷として利用できる履物用足裏刺激構造体を提供する。【解決手段】  歩行時に加えられる体重により圧縮される足型板材１の表層１ａ側に小球体誘導用の凹部１ｂを設けてこれに足裏刺激用小球体２を移動自在に装入する。【選択図】  図１
2005278970.tif 000002
【特許請求の範囲】
【請求項１】
歩行時に加えられる体重により圧縮される足型板材の表層側に小球体誘導用の凹部を設けてこれに足裏刺激用小球体を移動自在に装入してあることを特徴とする履物用足裏刺激構造体。
【請求項２】
足型板材が、硬質のベース層と、足裏刺激用小球体の直径より僅かに深い小球体誘導用の凹部を設けられた弾性中間層と、この弾性中間層に被装されて前記凹部の開口を塞ぐ表シート層とよりなる請求項１に記載の履物用足裏刺激構造体。
【請求項３】
小球体誘導用の凹部が、人体の複数の足ツボを結ぶ線に沿うよう配置されてこれに装入された足裏刺激用小球体を各足ツボに向け移動させるガイド溝である請求項１又は２に記載の履物用足裏刺激構造体。
【請求項４】
小球体誘導用の凹部内を移動自在とする足裏刺激用小球体が１個である請求項１から３のいずれかに記載の履物用足裏刺激構造体。
【請求項５】
小球体誘導用の凹部と連通する足裏刺激用小球体の出し入れ用の開口を足型板材の表層側に設け、該開口を閉塞自在とする栓に交換用の足裏刺激用小球体を収納した請求項１から４のいずれかに記載の履物用足裏刺激構造体。
【発明の詳細な説明】
【技術分野】
【０００１】
本発明は、足裏に適度な刺激を与え指圧効果を発揮させる履物底や中敷として利用できる履物用足裏刺激構造体に関するものである。
【背景技術】
【０００２】
従来、足裏に適度な刺激を与え指圧効果を発揮させる履物としては、足が直接接触する中底に刺激を与えるための突起を設けたものが広く知られている（例えば、特許文献１、特許文献２、特許文献３参照）。
ところが、このような従来のものは突起の位置が固定されたものであるため、足裏の刺激を受ける箇所が同じとなる。
【０００３】
そのため、足裏の同じ箇所のみが刺激を受けることとなり、刺激に対する感覚が麻痺して指圧効果が薄れるという問題がある。
【特許文献１】実開平６−３１０１公開実用新案公報（図２、図３等）
【特許文献２】実開昭５４−７７４９３公開実用新案公報（図３、図４）
【特許文献３】実開昭５２−２２７６２公開実用新案公報（図１、図２）
【発明の開示】
【発明が解決しようとする課題】
【０００４】
本発明は前記のような従来の問題点を解決して、歩行、足踏みをした場合に足裏の刺激箇所が変化する履物底や中敷として利用できる履物用足裏刺激構造体を提供するものである。
【課題を解決するための手段】
【０００５】
本発明の履物用足裏刺激構造体は、歩行時に加えられる体重により圧縮される足型板材の表層側に小球体誘導用の凹部を設けてこれに足裏刺激用小球体を移動自在に装入してあることを特徴とする請求項１に記載の基本の発明とし、この発明において、足型板材が、硬質のベース層と、足裏刺激用小球体の直径より僅かに深い小球体誘導用の凹部を設けられた弾性中間層と、この弾性中間層に被装されて前記凹部の開口を塞ぐ表シート層とよりなるものを請求項２に記載の発明とする。
【０００６】
また、これらの発明において、小球体誘導用の凹部が、人体の複数の足ツボを結ぶ線に沿うよう配置されてこれに装入された足裏刺激用小球体を各足ツボに向け移動させるガイド溝であるものを請求項３に記載の発明とし、前記いずれかの発明において、小球体誘導用の凹部内を移動自在とする足裏刺激用小球体が１個であるものを請求項４に記載の発明とし、さらに、前記いずれかの発明において、小球体誘導用の凹部と連通する足裏刺激用小球体の出し入れ用の開口を足型板材の表層側に設け、該開口を閉塞自在とする栓に交換用の足裏刺激用小球体を収納したものを請求項５に記載の発明とする。
【発明の効果】
【０００７】
本発明を例えば、履物底と利用すれば、歩行時に加えられる体重により圧縮される足型板材の表層側に小球体誘導用の凹部を設けてこれに足裏刺激用小球体を移動自在に装入してあるので、履物を履いた人が底裏を接地面に踏んだ状態では足型板材が体重により圧縮されて、小球体誘導用の凹部に装入した足裏刺激用小球体が足裏の足ツボを刺激して指圧効果を発揮するものである。逆に、足を上げた状態では、足型板材へ体重がかからないので足型板材は旧状に復帰して小球体誘導用の凹部が足裏刺激用小球体を移動できる状態となるので足の移動に伴ない足裏刺激用小球体が移動するので再び履物底裏を接地面に踏んだ状態とすると足裏刺激用小球体が足裏の違う箇所を刺激することとなり、歩行、足踏みを続ければ、足裏の異なる足ツボの箇所をランダムに刺激して指圧効果をあげるものである。
【０００８】
また、小球体誘導用の凹部と連通する足裏刺激用小球体の出し入れ用の開口を足型板材の表層側に設け、該開口を閉塞自在とする栓に交換用の足裏刺激用小球体を収納したものにあっては、足裏刺激用小球体を硬いものとやや柔らかいものの２個を使用者が使い分けるのに便宜なものである。
【発明を実施するための最良の形態】
【０００９】
次に、本発明の好ましい実施の形態を図面に基づき説明する。
１は歩行時に加えられる体重により圧縮される足型板材であり、該足型板材１の表層１ａ側には小球体誘導用の凹部１ｂを設けてある。そして、この小球体誘導用の凹部１ｂには足裏刺激用小球体２が移動自在に装入してある。
【００１０】
図示のものは前記足型板材１を、硬質のベース層１１と、足裏刺激用小球体２の直径より僅かに深い小球体誘導用の凹部１ｂを設けた弾性中間層１２と、この弾性中間層１２に被装されて前記凹部１ｂの開口を塞ぐ表シート層１３とよりなるものとしている。この硬質のベース層１１としては靴、サンダル、スリッパ等の履物底として利用する場合はこれら履物底の本底を構成する硬質ラバーが、また、中敷として使用する場合はやや厚手の硬質ビニルシートが一般的な材料である。
【００１１】
一方、弾性中間層１２としては、例えば厚さが５ｍｍのものが歩行時に加えられる体重により２ｍｍ位に圧縮されて体重の荷重が解除された場合に旧状に直ちに復帰するようなウレタンフォーム、ポリエチレンフォームなどのプラスチックフォームが好ましい。この圧縮と旧状に直ちに復帰が容易とするため抜き孔１２ａを多数配設してある。したがって、足裏刺激用小球体２が直径５ｍｍの場合には弾性中間層１２は厚さが５ｍｍより僅かに厚いものとしている。また、表シート層１３は弾性のある薄い布や、皮革、合成皮革、合成樹脂シートが一般的である。
【００１２】
また、小球体誘導用の凹部１ｂが、人体の複数の足ツボを結ぶ線に沿うよう配置されてこれに装入された足裏刺激用小球体２を各足ツボに向け移動させるガイド溝とすれば、使用者の好みにあった足ツボを刺激できるものとなる。
【００１３】
また、小球体誘導用の凹部１ｂ内を移動自在とする足裏刺激用小球体２は複数個でもよいが、１個とすることにより足裏の刺激を受けるところが１箇所となり、複数箇所が刺激を受けるに比べ指圧効果がよいものである。
【００１４】
さらに、小球体誘導用の凹部１ｂと連通する足裏刺激用小球体２の出し入れ用の開口３を足型板材１の表層１ａ側に設け、該開口３を閉塞自在とする栓４に交換用の足裏刺激用小球体２ａを収納しておくことが好ましい。そうすれば、足裏刺激用小球体１をセラミック球、銅球、鋼球等の硬いものと、ビニル樹脂製のやや柔らかいものの２個を用意して、使用者が、例えば小球体誘導用の凹部１ｂに予め装入してある硬い足裏刺激用小球体１では刺激が強すぎる思った場合には開口３から栓４を外して硬い足裏刺激用小球体１を開口３より取り出して栓４に収納してある交換用のやや柔らかい足裏刺激用小球体２ａを開口３から小球体誘導用の凹部１ｂに装入して、硬い足裏刺激用小球体２を栓４に収納して、この栓４で再び開口３を閉じればよいものである。
【００１５】
なお、図示の栓４は栓本体４ａを短円筒体としてその上端に偏平頭部４ｂを設けたものとして、短円筒体の栓本体４ａに交換用の足裏刺激用小球体２ａを収納するものとしているが、交換用の足裏刺激用小球体２ａを収納することのできるものであれば形状は特に限定されるものではない。また、図示のものは開口３をかかとの箇所に設けたものであるから、小球体誘導用の凹部１ｂが足裏の指の基端より後にＴ字状に設けたガイド溝としているので、該ガイド溝まで達する連絡溝１ｃを一体に設け、この連絡溝１ｃに足裏刺激用小球体２が挿通できるビニルパイプ５を設置して、ガイド溝側に位置する該ビニルパイプ５の端面を歩行時に足裏刺激用小球体２が連絡溝１ｃに移動することのないストッパとしている。
【００１６】
このように構成されたものは、図３及び図４に示すよう履物底すなわちサンダル台と利用すれば、図３に示すようにサンダルを履いた人が底裏を接地面Ａに踏んだ状態では足型板材１が体重により圧縮されて、小球体誘導用の凹部１ｂに装入した足裏刺激用小球体２が足裏の足ツボを刺激して指圧効果を発揮する。
【００１７】
そして、図４に示すように足を上げた状態では、足型板材１へ体重がかからないので足型板材１は旧状に復帰して小球体誘導用の凹部１ｂが足裏刺激用小球体２を移動できる状態となるので足の移動に伴ない足裏刺激用小球体２が移動して再び底裏を接地面Ａに踏んだ状態とすると足裏刺激用小球体が足裏の違う箇所を刺激するので、歩行、足踏みを続ければ、足裏の異なる足ツボの箇所をランダムに刺激して指圧効果を著しく高めるものである。
【００１８】
なお、図３、図４はサンダル台に利用したものを説明したが、靴、スリッパ、下駄等の他の履物底においても、また、中敷として利用しても同様の作用効果を発揮するものである。また、中敷として利用する場合に一般に市販されている通常履くサイズの履物より１乃至２サイズの履物を購入することにより充分に対応できるものである。
【図面の簡単な説明】
【００１９】
【図１】本発明の実施形態を示す斜視図である。
【図２】本発明の実施形態を分解して示す斜視図である。
【図３】本発明の実施形態を利用したサンダルの使用状態を示す一部切欠側面図である。
【図４】本発明の実施形態を利用したサンダルの使用状態を態様を異にして示す一部切欠側面図である。
【符号の説明】
【００２０】
１  足型板材
1a  表層
1b  小球体誘導用の凹部
11  ベース層
12  弾性中間層
13  表シート層
２  足裏刺激用小球体
３  開口
４  栓
【図１】
2005278970.tif 000003
【図２】
2005278970.tif 000004
【図３】
2005278970.tif 000005
【図４】
2005278970.tif 000006